(57)【要約】      （修正有）【課題】任意のパネル技術（ＷＶＧＡ、ＷＸＧＡ、ＨＤＴＶ、ＡＬＩＳなど）に対する任意のタイプの制御信号の生成が可能なユニバーサルパワータイミングコントロール（ＰＴＣ）ユニットを提供する。【解決手段】ＰＴＣユニット４は、ラインパワーボード３に対する中間制御信号と画像メモリ５に対する制御信号を生成するシーケンサモジュール１０と、中間制御信号をラインパワーボードにより使用可能な制御信号に変換するラインコントローラモジュール２０と、パネルのディスプレイモードを規定するデータ、および、フレームの各フェーズ期間に関する動作を処理するためにラインパワーボードで必要とされるエレメンタリ制御信号を規定するデータを格納するプログラム可能メモリ３０とから構成される。【選択図】図２
2005301277.tif 000002
【特許請求の範囲】
【請求項１】
行列状に配列された複数のセルと、表示される少なくとも１つの画像のサブフィールドフレームを格納する画像メモリと、前記複数のセルのカラムとラインに印加される電圧波形をそれぞれ生成するデータドライバ及びラインパワーボードから構成されるプラズマディスプレイパネルのための、前記画像メモリに格納されている画像フレームを前記複数のセルにより表示するため前記画像メモリと前記ラインパワーボードを制御するパワータイミングコントロールユニットであって、
前記プラズマディスプレイパネルのディスプレイモードを規定するデータと前記画像フレームの各フェーズ期間に関する動作を処理するために前記ラインパワーボードにより必要とされるエレメンタリ制御信号を規定するデータとを有するプログラム可能メモリを少なくとも備え、
該パワータイミングコントロールユニットは、前記データから前記画像メモリと前記ラインパワーボードに対する制御信号を生成する、
ことを特徴とするユニット。
【請求項２】
請求項１記載のパワータイミングコントロールユニットであって、
前記プログラム可能メモリに格納されているディスプレイモードを規定するデータは、前記プラズマディスプレイパネルの表示レートと、前記画像フレームのサブフィールド数、順序、ウェート及びスタートタイム位置と、各サブフィールドに対し必要とされるフェーズ動作と、各フェーズ動作の期間及び/またはタイプと、各フェーズ動作に対し利用される波形を規定するパラメータとから構成されることを特徴とするユニット。
【請求項３】
請求項１または２記載のパワータイミングコントロールユニットであって、さらに、
前記画像メモリに対する制御信号と前記ラインパワーボードに対する中間制御信号とを前記プラズマディスプレイパネルのディスプレイモードを規定するデータから生成するシーケンサモジュールと、
前記ラインパワーボードにより利用可能な制御信号を前記中間制御信号と前記画像フレームの各フェーズ期間に関する動作を処理するために前記ラインパワーボードにより必要とされるエレメンタリ制御信号を規定するデータとから生成するラインコントロールモジュールと、
を有することを特徴とするユニット。
【請求項４】
請求項３記載のパワータイミングコントロールユニットであって、
前記シーケンサモジュールは、
前記プラズマディスプレイパネルの表示レートに適応化されたフレーム信号と前記画像メモリの読み出しのための関連する制御信号とを生成するモードシーケンサと、
各フレーム信号に対して、サブフィールドに関してフレームのコンテンツを特定するサブフィールド信号シーケンスを生成するフレームシーケンサと、
各サブフィールド信号に対して、各フェーズ信号が少なくともプライミング信号、アドレッシング信号、サステイニング信号及びイレーシング信号から構成されるフェーズ信号シーケンスを生成するサブフィールドシーケンサと、
各フェーズ信号に対して、対応するフェーズ動作を実現するのに必要とされるエレメンタリフェーズ信号である前記ラインコントロールモジュールに対する中間制御信号を生成する動作シーケンサと、
から構成されることを特徴とするユニット。
【請求項５】
請求項３記載のパワータイミングコントロールユニットであって、
前記モードシーケンサはさらに、前記画像フレームの中間において追加的なフレーム信号の生成が可能であることを特徴とするユニット。
【請求項６】
請求項１乃至５何れか一項記載のパワータイミングコントロールユニットであって、
前記プログラム可能メモリに格納されている表示モードを規定するデータはさらに、アドレッシング動作のアドレッシングスピードを表すスピード要素を有することを特徴とするユニット。
【請求項７】
請求項１乃至６何れか一項記載のパワータイミングコントロールユニットであって、
前記プログラム可能メモリに格納されている表示モードを規定するデータはさらに、第１セルラインとアドレッシング対象のライン数とを有することを特徴とするユニット。
【請求項８】
請求項３乃至７何れか一項記載のパワータイミングコントロールユニットであって、
前記ラインコントロールモジュールは、
中間制御信号をステップ信号に変換するライン波形サブモジュールと、
前記ステップ信号と前記プログラム可能メモリに格納されているエレメンタリ制御信号とから前記ラインパワーボードにより利用可能な制御信号を生成する波形デコーダモジュールと、
から構成されることを特徴とするユニット。
【請求項９】
請求項１乃至８何れか一項記載のパワータイミングコントロールユニットを備え、行列状に配列された複数のセルと、表示される少なくとも１つの画像のサブフィールドフレームを格納する画像メモリと、前記複数のセルのカラムとラインに印加される電圧波形をそれぞれ生成するデータドライバ及びラインパワーボードから構成されるプラズマディスプレイパネルであって、
前記パワータイミングコントロールユニットは、前記画像メモリに格納されている画像フレームを前記複数のセルにより適切に表示するため前記画像メモリと前記ラインパワーボードを制御する、
ことを特徴とするパネル。
【発明の詳細な説明】
【技術分野】
【０００１】
本発明は、プラズマディスプレイパネル（ＰＤＰ）のラインパワーボードと画像メモリを制御するためのユニバーサルパワータイミングコントローラ（ｕｎｉｖｅｒｓａｌ  Ｐｏｗｅｒ  Ｔｉｍｉｎｇ  Ｃｏｎｔｒｏｌｌｅｒ）ユニットに関する。
【背景技術】
【０００２】
実際のＰＤＰはパワータイミングコントロール（ＰＴＣ）ユニットを備えた、あるいはそれを備えない専用信号集積回路に基づいている。このＰＴＣは、ＰＤＰのセルラインに印加される適切な波形（例えば、プライミング、イレーシング、アドレッシング、サステイニングなど）とＰＤＰの画像メモリに対する制御信号を生成するため、ＰＤＰのパワーボードに対する制御信号を生成するためのものである。従来技術では、１つのＰＤＰ技術と１つのパワーボードタイプに特化して開発及び構成された特殊なＰＴＣを有することが通常とされている。新しいパネルを設計するとき（例えば、ＨＤＴＶなど）、あるいは当該技術の変更時に（新しい波形が必要とされることによる）、ＰＴＣは再設計される必要があった。
【発明の開示】
【発明が解決しようとする課題】
【０００３】
本発明の課題は、任意のパネル技術（ＷＶＧＡ、ＷＸＧＡ、ＨＤＴＶ、ＡＬＩＳなど）に対する任意のタイプの制御信号の生成が可能なユニバーサルＰＴＣを提供することである。このコンセプトは、完全にプログラム可能な新しい構成に基づくものである。このＰＴＣは、ＰＤＰの集積回路または別の集積回路に備えられる。
【課題を解決するための手段】
【０００４】
本発明は、行列状に配列された複数のセルと、表示される少なくとも１つの画像のサブフィールドフレームを格納する画像メモリと、前記複数のセルのカラムとラインに印加される電圧波形をそれぞれ生成するデータドライバ及びラインパワーボードから構成されるプラズマディスプレイパネルのための、前記画像メモリに格納されている画像フレームを前記複数のセルにより表示するため前記画像メモリと前記ラインパワーボードを制御するパワータイミングコントロールユニットであって、前記プラズマディスプレイパネルのディスプレイモードを規定するデータと前記画像フレームの各フェーズ期間に関する動作を処理するために前記ラインパワーボードにより必要とされるエレメンタリ制御信号を規定するデータとを有するプログラム可能メモリを少なくとも備え、該パワータイミングコントロールユニットは、前記データから前記画像メモリと前記ラインパワーボードに対する制御信号を生成することを特徴とするパワータイミングコントロール（ＰＴＣ）ユニットに関する。
【０００５】
本発明によるＰＴＣユニットの構成は、完全にプログラム可能である。従って、ＰＴＣユニットにより出力される制御信号は、プログラム可能メモリのコンテンツを変更することにより、パネルの技術及び/またはディスプレイモードに容易に適応化することが可能である。
【０００６】
また、本発明は、上述のパワータイミングコントロールユニットを備え、行列状に配列された複数のセルと、表示される少なくとも１つの画像のサブフィールドフレームを格納する画像メモリと、前記複数のセルのカラムとラインに印加される電圧波形をそれぞれ生成するデータドライバ及びラインパワーボードから構成されるプラズマディスプレイパネルであって、前記パワータイミングコントロールユニットは、前記画像メモリに格納されている画像フレームを前記複数のセルにより適切に表示するため前記画像メモリと前記ラインパワーボードを制御することを特徴とするプラズマディスプレイパネルに関する。
【発明の効果】
【０００７】
本発明によると、内蔵されるプログラム可能メモリのコンテンツを変更することにより、任意のパネル技術に対する任意のタイプの制御信号の生成が可能なユニバーサルＰＴＣを提供することができる。
【発明を実施するための最良の形態】
【０００８】
本開示において、フェーズ動作（ｐｈａｓｅ  ｏｐｅｒａｔｉｏｎ）とは、ＰＤＰのセルのプライミング、アドレッシング、サステイニングまたはイレーシング動作を表し、エレメンタリ動作（ｅｌｅｍｅｎｔａｒｙ  ｏｐｅｒａｔｉｏｎ）とは、１つのラインをアドレッシングするための動作、あるいは１つのサステインパルスを生成するための動作を表すものである。
【０００９】
図１により示されるように、従来のＰＤＰは、行列状に配列された複数のセル１から構成される。データドライバ２とラインパワーボード３は、ＰＤＰのカラムとラインにそれぞれ印加される電圧波形を制御するのに用いられる。これらの波形は、ディスプレイモード（５０Ｈｚ、６０Ｈｚ、１００Ｈｚ、ＰＣなど）及び/またはＰＤＰパネル技術（ＷＶＧＡ、ＷＸＧＡ、ＨＤＴＶ、ＡＬＩＳなど）に依存して構成される。
【００１０】
パワータイミングコントロール（ＰＴＣ）ユニット４は、データドライバ２にデータを送信するＰＤＰの画像メモリ５とパワーボード３を制御するのに利用される。画像メモリ５に格納されているデータは、映像処理ユニット６から供給される画像サブフィールドフレームである。映像処理ユニット６は、映像入力信号の画像フレームを画像サブフィールドフレームにコード変換する。画像は、パネル１にサブフィールド単位で表示される。
【００１１】
本発明によると、任意のタイプのＰＤＰに設けることができ、任意のタイプのパワーボードに対する適切な制御信号の生成が可能な完全にプログラム可能な構成を備えたユニバーサルＰＴＣユニットが提案される。このため、本発明によるＰＴＣは、当該パネルのディスプレイモードを規定するデータと、フレームの各フェーズ期間に関する動作を処理するためにラインパワーボードにより必要とされるエレメンタリ制御信号を規定するデータとを格納するプラグラム可能メモリまたはルックアップテーブル（ＬＵＴ）を有する。これらのデータは、画像を表示するための画像メモリ５とラインパワーボード３に印加される適切な制御信号を生成するため、ＰＴＣによって利用される。
【００１２】
ＬＵＴのコンテンツは、ＰＴＣを有するＰＤＰに適応化される。
【００１３】
図２により示されるように、本発明の一実施例によるＰＴＣユニット４は、ラインパワーボード３に対する中間制御信号と画像メモリ５に対する制御信号を生成するシーケンサモジュール１０と、中間制御信号をＰＤＰのライン上に印加される波形を生成するラインパワーボード３により使用可能な制御信号に変換するラインコントローラモジュール２０と、パネルのディスプレイモードを規定するデータと、フレームの各フェーズ期間に関する動作を処理するためのラインパワーボード３により必要とされるエレメンタリ制御信号を規定するデータとを格納するプログラム可能メモリ３０とから構成される。
【００１４】
ディスプレイモードを規定するデータとして、例えば、ＰＤＰの表示レート、フレームのサブフィールドの個数、順序、ウェート及びスタートタイム、各サブフィールドに必要とされるフェーズ動作（プライミングなど）、イレース期間、アドレッシングタイプ（選択的ライトや選択的イレース）、アドレッシングスピード、サブフィールドごとのサステインパルスの個数などのいくつかのフェーズ動作パラメータ、及びアドレッシングされるライン数などがあげられる。
【００１５】
フレームの各フェーズ期間に関する動作を処理するためにラインパワーボード３により必要とされるエレメンタリ制御信号を規定するデータとして、例えば、ＰＤＰのセルをプライミングするためにラインパワーボードにより必要とされるエレメンタリ制御信号、セルの１つのラインをアドレッシングするためにラインパワーボードにより必要とされるエレメンタリ制御信号、サステインパルスをアドレッシングするためにラインパワーボードにより必要とされるエレメンタリ制御信号、ＰＤＰのセルをイレーシングするためのラインパワーボードにより必要とされるエレメンタリ制御信号、及び任意の追加的波形が規定されるためのラインパワーボードにより必要とされる任意のエレメンタリ制御信号があげられる。
【００１６】
本発明の好適な実施例では、図３に示されるように、シーケンサモジュール１０は、モードシーケンサ１１と、フレームシーケンサ１２と、サブフィールドシーケンサ１３と動作シーケンサ１４の４つのサブモジュールから構成される。これら４つのシーケンサは、プログラム可能メモリ３０からデータを抽出することができる。
【００１７】
モードシーケンサ
モードシーケンサ１１は、プログラム可能メモリ３０の第１部分に格納されている表示レート（５０Ｈｚ、６０Ｈｚなど）に関するフレーム信号を生成するのに設計されている。従って、モードシーケンサ１１は、例えば、表示レートが５０Ｈｚのときには２０ｍｓ毎のパルスを有する信号などのように、当該表示レートに適応化された垂直同期信号を生成する。このサブモジュールはまた、例えば、広範なフリッカ低減に対する欧州特許出願ＥＰ０９８２７０８に提案されているような最善の可能なＥＵＴＶ/ＦＦＣ符号化などを実行するため、出力映像フレームの中間において第２出力垂直同期信号を生成することが可能である。この符号化では、複数のサブフィールドが、サブフィールドに関して実質的に同一な２つの連続するサブフィールドグループにグループ化される。第１サブフィールドグループは、第１出力垂直同期信号と連続する第２出力垂直同期信号との間に与えられ、第２サブフィールドグループは、第２出力垂直同期信号と連続する第１出力垂直同期信号との間で与えられる。この符号化を実現するため、特殊なデータがメモリ３０の第１部分に格納されるべきである。
【００１８】
このサブモジュールはまた、ＰＤＰの表示レートが入力映像信号の表示レートに一致しない場合、適切な制御信号（リード信号）を画像メモリに印加することにより、フレーム欠落やフレーム反復を行う。このため、モードシーケンサ１１は、映像処理ユニット６から画像メモリ５に送信される映像信号に関する垂直同期信号を受信し、入力映像信号に関する垂直同期信号がＰＤＰの表示レートに対応する垂直同期信号と異なるときには、欠落または反復される映像フレームを決定し、アドレッシング動作中に動作シーケンサ１４により利用される画像メモリ５に対する適切な制御信号を生成する。
【００１９】
フレームシーケンサ
フレームシーケンサ１２は、各フレーム信号に対してサブフィールド信号シーケンスを生成する。これらの信号は、ＰＤＰのディスプレイモードデータ（表示レート、サブフィールド数など）に応じて構成される。フレームは、各々が所定の構成を有するサブフィールドシーケンスとして構成される。フレームシーケンサ１２は、図３に示されるように、メモリ３０の第２部分に格納されているディスプレイモードデータに従って、これらのサブフィールド信号を生成する。フレームシーケンサ１２は、フレームの各サブフィールドに対して１つのサブフィールド信号を生成する。このサブフィールド信号は、フレームのサブフィールドの個数、順序、ウェート及びスタートタイム、各サブフィールドに必要とされるフェーズ動作（プライミングなど）、イレース期間、アドレッシングタイプ（選択的ライトや選択的イレース）、アドレッシングスピード、サブフィールドごとのサステインパルスの個数などのいくつかのフェーズ動作パラメータなどのパラメータから構成される。
【００２０】
フレームシーケンサ１２は、これらの信号をサブフィールドシーケンサ１３に送信する。
【００２１】
時間パラメータは、モードシーケンサ１１により生成される垂直同期信号に同期させるため、フレームシーケンサ１２により計算される。好ましくは、国際特許出願ＷＯ００/４６７８２に開示されるパワーレベル制御方法、あるいは欧州特許出願ＥＰ１３５３３１５に開示される画像のグレイスケール忠実表示を向上させる方法を実現するため、異なるパラメータ群が規定される。
【００２２】
サブフィールドシーケンサ
サブフィールドシーケンサ１３は、各サブフィールド信号を各々がフレームのフェーズ動作に関するフェーズ信号のタイミングに変換する。サブフィールドシーケンサ１３は、例えば、各サブフィールドに対して、サブフィールド信号に含まれるパラメータに従って、プライミング信号、選択的ライトアドレッシング信号、サステイン信号及びイレース信号から構成されるシーケンスを生成する。好適な実施例では、３２種類のフェーズ信号（スタンダードプライミング、低輝度プライミング、選択的ライトアドレッシング、選択的イレースアドレッシングなど）が、サブフィールドシーケンサ１３により利用可能である。これらのフェーズ信号は、メモリ３０の第３部分に格納されている３２個のコードにより特定される。
【００２３】
動作シーケンサ
動作シーケンサ１４は、各フェーズ信号を対応するフェーズを実現するのに用いられる中間制御信号と呼ばれるエレメンタリフェーズ信号シーケンスに変換する。エレメンタリフェーズ信号は、例えば、セルの１ラインをアドレッシングするための信号、プライミング信号、１サステインパルスを生成するための信号、あるいはイレーシング信号である。これらすべてのエレメンタリ信号は、ラインパワーボード３の制御信号を構成するため、ラインコントローラモジュール２０により処理される。エレメンタリフェーズ信号は、対応するエレメンタリフェーズ動作の期間及びスタートタイムから構成される。これらのパラメータは、対応するエレメンタリフェーズ動作が互いに同期されるように計算される。
【００２４】
例えば、動作シーケンサ１４は、各アドレッシング信号をアドレッシングライン１、アドレッシングライン２などの複数の連続するエレメンタリアドレッシング信号に変換する。各エレメンタリアドレッシング信号は、選択的ライトアドレッシングや選択的イレースアドレッシングであるかもしれない。これらのエレメンタリアドレッシング信号は、例えば、アドレス状態マシーンにより生成される。アドレッシング対象の第１ラインと共にアドレッシング対象のライン数ｐを規定する外部パラメータが、欧州特許出願ＥＰ０８０７９１９に開示されるような映像依存アドレッシングを実現するため、メモリ３０の一部から抽出することが可能である。
【００２５】
好ましくは、アドレス状態マシーンはまた、アドレッシング信号を生成するため、スピード要素や「ラインダミー」などのいくつかのパラメータを考慮する。例えば、アドレッシングスピード要素は、各ラインに対してメモリ３０に規定される。アドレッシングスピード要素は、当該ラインに対して用いられるアドレッシングスピードを示すものである。さらに、「ラインダミー」がまたメモリにおいて規定することができる。ラインダミーは、パネルに接続されていないラインドライバの出力を示すものである。様々な理由から、ラインドライバの出力の一部はパネルに接続されず、アドレッシングされない。ブランクラインに対応する波形が、これらのラインに対して用いられる。
【００２６】
動作シーケンサ１４はまた、各サステイン信号を各サステインパルスに１つずつの複数のエレメンタリサステイン信号に変換する。好ましくは、これらの信号を生成するのに用いられる状態マシーンは、フレーム毎に用いられるサステインパルスの合計をカウントすることが可能である。この合計数に基づき上限を規定することができ、欧州特許出願ＥＰ１３６５３８２に開示されるように、フレームのサステイン期間をデルタ値だけ低減させるため、サステインパルスの合計がこの上限を超えた場合、サステイン状態マシーンは、メモリ３０に格納されている各サブフィールドのサステインパルス数などのサステインパラメータを変更することができるようになる。
【００２７】
同様にして、動作シーケンサ１４は、ラインコントローラモジュール２０がプライミング波形またはイレーシング波形を生成するための適切な制御信号の生成が可能となるように、各プライミングまたはイレーシング信号を適切なエレメンタリ信号に変換する。
【００２８】
その後、これらすべての中間制御信号は、これらをＰＤＰのラインパワーボード３により利用可能な制御信号に変換するデコーダなどのラインコントローラモジュール２０に送信される。
【００２９】
図４により示されるように、ラインコントローラモジュール２０は、プログラム可能メモリ３０と関連付けされたライン波形サブモジュール２１と波形デコーダサブモジュール２２の２つのサブモジュールから構成される。
【００３０】
ライン波形サブモジュール
ライン波形サブモジュール２１は、シーケンサモジュール１０から供給されるエレメンタリフェーズ動作に対応する各中間制御信号を、例えば、第１期間中に第１電圧プラトウ（ｖｏｌｔａｇｅ  ｐｌａｔｅａｕ）を生成する第１ステップと、第２期間中に電圧上昇を生成する第２ステップと、第３期間中に第１電圧プラトウより高い第２電圧プラトウを生成する第３ステップと、第４期間中に電圧下降を生成する第４ステップなどのプライミング信号の基本ステップのタイミングに分解する。図４に示されるように、これら基本ステップは、好ましくは、ｗａｖｅ＿ａ、ｗａｖｅ＿ｂ、ｗａｖｅ＿ｃ及びｗａｖｅ＿ｄなどの４つの信号などのような複数のパラレル信号の形態で送信される。これらの信号は、波形デコーダサブモジュール２２によりパラレルに実行される。各信号は、ラインパワーボード３の専用部分の制御信号に関するすべての情報を含むように規定される。例えば、７つのエレメンタリ信号がラインパワーボード３の専用回路の制御に必要とされ、これらのエレメンタリ信号のいくつかの組み合わせが禁止されている場合、それらは同一のｗａｖｅ＿ｘ（ｘ＝ａ，ｂ，ｃ，ｄ）信号に含まれることが重要である。
【００３１】
前述のように、例えば、３２種類の波形信号（例えば、スタンダードプライミング、低輝度プライミング、選択的ライト動作、選択的イレース動作、サステインパルス、アイドル動作など）がメモリ３０の一部において利用可能である。各信号は、パラレルに実行されるｗａｖｅ＿ａ、ｗａｖｅ＿ｂ、ｗａｖｅ＿ｃ及びｗａｖｅ＿ｄなどの４つの基本波信号に分解することが可能である。各波形信号は、例えば、特定の期間を有する６０までのステップから構成することができる。いくつかのステップは、定期的に繰り返されるステップグループとして規定することが可能である。各波形のステップのタイミングは、任意の新しいパネル要求に容易に適応化可能なＬＵＴに格納されている。これはまた、ＰＴＣの他のあらゆるサブモジュールに対しても成り立つ。
【００３２】
ライン波形サブモジュール２１は、動作シーケンサ１４に規定される動作信号に関する波形ｗを構成する各ステップのタイミングを規定する４つのパラレル状態マシーンにより実現される。
【００３３】
各状態マシーンに対して、３ＤＰＤＰで用いられるシャッタガラススイッチなどのため、フレーム信号に同期されるべき任意のタイプのハードウェアの制御が可能な信号を生成する動作シーケンサ１４と独立に動作することが可能となる。
【００３４】
波形デコーダサブモジュール
波形デコーダサブモジュール２２は、スキャン共通プラズマパワーボードを制御するすべての制御信号を生成する。波形デコーダサブモジュール２２は、ライン波形サブモジュール２１のシンプルなデコーダである。ライン波形サブモジュール２１は、ライン波形サブモジュール２１から受け取ったステップ信号を、メモリ３０に格納されているエレメンタリ制御信号を利用することにより、ラインパワーボード３に直接供給される制御信号に変換する。
【００３５】
このＰＴＣは完全にプログラム可能であるため、任意のタイプのラインパワーボードが、メモリ３０のコンテンツを単に変更することによりＰＴＣにより制御可能となる。
【００３６】
好ましくは、すべてのサブモジュールは、現在の動作が完了したことを通知するため、準備信号を各自の前のブロックに送信することができる。このようなシステムでは、すべての処理が適切に完了する前に、新しい動作またはフレームを開始する新しいリクエストを送信することを回避することができるようになる。この状況は、例えば、フレーム期間がＶＣＲ（Ｖｉｄｅｏ  Ｃａｓｓｅｔｔｅ  Ｒｅｃｏｒｄｉｎｇ）により採用されるスピードに依存して可変となるＶＣＲトリックモードの場合に発生しうる。
【００３７】
本発明は、具体的に開示された実施例に限定されるものではなく、特許請求の範囲から逸脱することなく、種々の変形や変更が可能である。
【図面の簡単な説明】
【００３８】
【図１】図１は、従来技術によるプラズマディスプレイパネル（ＰＤＰ）を概略的に示した図である。
【図２】図２は、本発明の一実施例によるパワータイミングコントロール（ＰＴＣ）ユニットの機能ブロック図である。
【図３】図３は、図２のＰＴＣユニットのシーケンサモジュールの機能ブロック図である。
【図４】図４は、図２のＰＴＣユニットのラインコントローラモジュールの機能ブロック図である。
【符号の説明】
【００３９】
１  パネル
２  データドライバ
３  ラインパワーボード
４  パワータイミングコントロール（ＰＴＣ）ユニット
５  画像メモリ
６  映像処理ユニット
１０  シーケンサモジュール
１１  モードシーケンサ
１２  フレームシーケンサ
１３  サブフィールドシーケンサ
１４  動作シーケンサ
２０  ラインコントローラモジュール
２１  ライン波形サブモジュール
２２  波形デコーダサブモジュール
３０  プログラム可能メモリ
【図１】
2005301277.tif 000003
【図２】
2005301277.tif 000004
【図３】
2005301277.tif 000005
【図４】
2005301277.tif 000006